(57)【特許請求の範囲】
【請求項１】
重量物(25)を水平方向に幅寄せするためのスライドユニットにおいて、
重量物(25)を載置する荷受台(21)と、この荷受台(21)の底面に取付られた２個の前側キャスター(22)(22)および２個の旋回可能な後側キャスター(23)(23)を具備する台車(20)と、
前記各キャスター(22)(23)の各々を別個に載置する４つのスライド台(1)と、
各スライド台(1)の少なくとも１つを駆動する駆動装置(8)と、を備え、
各スライド台(1)は、コロ整列体(4)と、そのコロ整列体(4)により平行に整列して配置される複数のコロ体(3)と、
コロ整列体(4)の上部に配置したターンテーブル(5)と、コロ整列体(4)の側部に配置するスロープ体(6)と、を有することを特徴とするスライドユニット。
【請求項２】
請求項１に記載のスライドユニットを用いて重量物(25)を水平方向に幅寄せする方法であって、
重量物(25)を支持する台車(20)の各キャスター(22)(23)をスライド台(1)のスロープ体(6)を使用してコロ整列体(4)上のターンテーブル(5)にそれぞれ移動して載置し、その状態で駆動装置(8)によりスライド台(1)を押圧して移動させ、前記台車(20)の後側キャスター(23)(23)を旋回させて、前記台車(20)の向きを調整可能としたことを特徴とする重量物の幅寄せ方法。
【発明の詳細な説明】
【０００１】
【発明の属する技術分野】
本発明は搬入された大型の回転機器等の重量物を設置位置に幅寄せするためのスライドユニットとそれを用いた重量物の幅寄せ方法に関するものである。
【０００２】
【従来の技術】
従来、大型の回転機器等の重量物を建屋内の設置場所に設置するには、先ず搬入されてきた重量物をクレーン等により大型の台車上に載置し、次にその台車を建屋内の通路を利用して設置場所まで移動させる。台車上には予め滑り性のよい丈夫なシート、例えばデュポン社から市販されているテフロンシート等のフッソ系シートを敷いておき、その上に重量物を載置する。そして設置場所は一般に床面から立ち上がったコンクリート製の基礎台とされるが、その基礎台に台車を接近させた状態で台車をさらに幅寄せし、シートを引っ張って重量物を台車上から基礎台上に移動する。
また、台車を使用する代わりに重量物の下に複数のコロ体を敷いて、基礎台の近傍までコロ体の置き換えを繰り返しながら牽引し、重量物を基礎台上に移動する方法もある。
【０００３】
【発明が解決しようとする課題】
しかし、一般に重量物を設置する場所が建屋の入口付近にあることは少なく、幾度も曲がる通路を経なければ到達できない場所に設定されることが多い。しかもクレーン設備のない設置場所も多いと共に、建屋の高さに制限があって移動式のクレーンが搬入できない場所もある。
前者の台車を使用する方法では、設置場所にクレーン設備がない場合でも、幾度も曲がる通路を通過して設置場所付近まで通常容易に到達し、幅寄せして重量物を基礎台上に移動させることは可能である。しかし設置場所に接する通路が直前で曲がっているような場合には、台車の回転が出来ないので幅寄せが困難になり、多大の労力と時間を費やすことになる。しかも重量物を台車上に載置するときに、正確に載置の角度を合わせないと、幅寄せ後にシートを滑らせて基礎台上に移動させたとき、重量物が据付用のアンカーボルトと正確に一致しないので、さらにその調整が必要になる。
【０００４】
後者の重量物の下に複数のコロ体を敷いて牽引する方法は、コロ体の置き換え等の段取りに多くの時間と労力を費やす上に、クレーン設備のないときにはコロ上から基礎台に重量物を移し替えることが困難になるという問題もある。
そこで本発明はこのような従来の問題を解決することを課題とし、そのための新しい幅寄せ用のスライドユニットとそれを用いた重量物の幅寄せ方法を提供することを目的とするものである。
【０００５】
【課題を解決するための手段】
前記課題を解決する請求項１に記載の発明は、重量物(25)を水平方向に幅寄せするためのスライドユニットにおいて、
重量物(25)を載置する荷受台(21)と、この荷受台(21)の底面に取付られた２個の前側キャスター(22)(22)および２個の旋回可能な後側キャスター(23)(23)を具備する台車(20)と、
前記各キャスター(22)(23)の各々を別個に載置する４つのスライド台(1)と、
各スライド台(1)の少なくとも１つを駆動する駆動装置(8)と、を備え、
各スライド台(1)は、コロ整列体(4)と、そのコロ整列体(4)により平行に整列して配置される複数のコロ体(3)と、
コロ整列体(4)の上部に配置したターンテーブル(5)と、コロ整列体(4)の側部に配置するスロープ体(6)と、を有することを特徴とするスライドユニットである。
また請求項２に記載の発明は、請求項１に記載のスライドユニットを用いて重量物２５を水平方向に幅寄せする方法であって、重量物(25)を支持する台車(20)の各キャスター(22)(23)をスライド台(1)のスロープ体(6)を使用してコロ整列体(4)上のターンテーブル(5)にそれぞれ移動して載置し、その状態で駆動装置(8)によりスライド台(1)を押圧して移動させ、前記台車(20)の後側キャスター(23)(23)を旋回させて、前記台車(20)の向きを調整可能としたことを特徴とする重量物の幅寄せ方法である。
【０００６】
【発明の実施の形態】
次に、本発明の実施の形態を図面により説明する。
図１は本発明のスライドユニットを構成するスライド台の１例を示す正面図、図２は図１の平面図、図３は図１のＡ−Ａ断面図である。これらの図において、スライド台１は床などの移動面２に接する複数のコロ体３と、各コロ体３を上部から覆って平行に整列させるコロ整列体４と、コロ整列体４の上部に配置したターンテーブル５と、コロ整列体４の側部に配置するスロープ体６とを有する。
【０００７】
本発明で使用されるコロ体３は、いわゆるマメコロといわれる比較的直径の小さいコロが好ましい。コロ整列体４は下部が開放され、所定数のコロ体３を平行に整列した状態で収容するのに適合した内容積を有する。なお複数のコロ体３は単にコロ整列体４内に平行に整列した状態でもよいが、コロ整列体４の両側部に複数の軸受部を設け、それらの軸受部に各コロ体３を軸支することもできる。さらにコロ整列体４の一方の側部には後述する駆動装置の駆動ロッドを受ける押板７が取り付けられる。
ターンテーブル５は例えばコロ整列体４の上部に配置される図示しない円形の底板と、その底板の環状溝にベアリングを介して回転自在に支持された受板により構成される。
スロープ体６は移動面２からターンテーブル５上への台車のキャスター移動を容易に行うためのもので、その傾斜角は重量物の大きさを考慮して適宜設定される。
【０００８】
図４は駆動装置を備えたスライド台１の平面図、図５は図４の左側面図である。これらの図においてスライド台１は図１と同じものである。
駆動装置８は油圧ジャッキからなる駆動部９と、その駆動部９を固定する基板１０と、駆動部９を制御する制御部１１を備え、制御部１１は駆動部９への油圧回路や油圧バルブ等を有している。駆動部９の底部に設けた基板１０は水平に延長され、その延長部分にスライド台１が配置される。そして駆動部９の駆動ロッド１２の先端が前記スライド台１のコロ整列体４に設けた押板７を押すことにより、スライド台１は水平方向に移動する。
【０００９】
図６は複数のスライド台に台車を載置して幅寄せしている状態を示す平面図、図７はその側面図である。これらの図において、台車２０は荷受台２１と、２個の前側キャスター２２と、２個の後側キャスター２３を有しており、後側キャスター２３はその車輪が垂直軸の回りに旋回でき、それによって台車が方向転換できるようになっている。
荷受台２１上には予め滑り性のよい丈夫なシート２４（前記テフロンシート等）が一例として図面直角方向に並列して二列に敷かれ、そのシート２４の上に重量物２５が図示しないクレーン等により正確に載置される。そして重量物２５を載置した台車２０をコンクリート製の基礎台２６に対する幅寄せ位置まで運搬した後、スロープ体６（図１参照）を使用して前側キャスター２２と後側キャスター２３を４基のスライド台１のそれぞれのターンテーブル５上に移動する。その際、後側キャスター２３を載置するスライド台１には駆動装置８を装着しておく。すなわち駆動装置８における基板１０上にスライド台１を設置して、その押板７が駆動ロッド１２と接するように位置決めする。
【００１０】
次に駆動装置８を起動し、駆動部９の駆動ロッド１２で押板７を押圧すると、押圧されたスライド台１に生じる駆動力は台車２０を経て残りの３基のスライド台１にも伝達され、台車２０は図７の矢印のように移動を開始する。なおスライド台１の移動自体は複数のコロ体３の回転によって行われる。そして重量物２５を基礎台２６に対して移動可能な位置まで台車２０が移動したときに駆動装置８を停止する。
次に引張装置などを利用してシート２４と一緒に、またはシートを残してその重量物２５を台車２０から基礎台２６上の所定位置まで引っ張る。この状態を図８に示す。次いでシート２４を引き抜いて重量物２５をアンカーボルト等に固定する。
なお２基の駆動装置８を用意し、２つの後側キャスター２３を載置した各スライド台１を同時にそれら駆動装置８で押圧することもできる。
【００１１】
以上の説明では、台車２０が基礎台２６に正確に平行移動して接近した場合であるが、例えば台車２０を複数のスライド台１の上に載置する際に角度的なズレを生じると、その角度的なズレのまま台車２０は基礎台２６に接近してしまう。そのような場合には、台車２０の角度的ズレを修正した後に重量物２５を基礎台２６上に移動させる必要があるが、複数のコロ体３を並列に整列した状態で移動するように構成されたスライド台１を、そのコロ体３の向きに反した移動方向に修正するのは容易ではない。そこで本発明ではコロ整列体４上に配置したターンテーブル５により、この角度修正を行えるようにしている。
【００１２】
図９は４基のスライド台１に前記のようにして台車２０のキャスター２２、２３を載置した状態を示す平面図である。例えば（ａ）に示すように、台車２０の正しい載置状態を実線Ｓとし、実際に載置した台車２０の状態を一点鎖線Ｍとすると、両者の間に角度θのズレが生じていることになる。そこでこの角度修正をするために、先ず車輪が垂直軸の回りに旋回できる２個の後側キャスター２３を矢印のように人力で回転し、（ｂ）のようにその進行方向を９０度変える。この方向変更はターンテーブル５により容易に行うことができる。次に駆動装置等を使用して（ｂ）に示す矢印方向に台車２０を押すことにより角度θをゼロに修正することができる。それにより、台車２０の右端を基礎台の縁に平行に位置させることができる。次いで、各スライド台１を右方に移動すれば、その台車２０の右端を基礎台の縁に隙間なく当接することができる。
【００１３】
【発明の効果】
以上のように本発明のスライドユニットを使用することにより、重量物を設置する場所に接する通路が直前で曲がっており、重量物を乗せた台車の回転ができない場合においても、その台車を各スライド台に容易に載置して効率よく設置場所に幅寄せすることができる。しかも台車を各スライド台に載置する際に、台車が正規位置から角度的にズレた場合でも、２個の旋回可能な後側キャスター(23)(23)およびターンテーブルの作用により容易にその方向修正をすることができる。
また本発明の重量物の幅寄せ方法は、上記スライドユニットを用いて幅寄せおよび台車の向きの調整をするものであり、上記のような設置場所においても、重量物の幅寄せを効率よく行うことができる。
【図面の簡単な説明】
【図１】本発明のスライドユニットを構成するスライド台の１例を示す正面図。
【図２】図１の平面図。
【図３】図１のＡ−Ａ断面図。
【図４】本発明のスライド台１とそれを駆動する駆動装置を示す平面図。
【図５】本発明のスライド台１とそれを駆動する駆動装置を示す左側面図。
【図６】本発明の複数のスライド台に台車を載置して幅寄せしている状態を示す平面図。
【図７】図６の側面図。
【図８】台車２０の重量物２５を図７の状態から基礎台２６上に移動した状態を示す側面図。
【図９】本発明の４基のスライド台１に台車２０のキャスター２２、２３を載置した状態を示す平面図。
【符号の説明】
１  スライド台
２  移動面
３  コロ体
４  コロ整列体
５  ターンテーブル
６  スロープ体
７  押板
８  駆動装置
９  駆動部
１０  基板
１１  制御部
１２  駆動ロッド
２０  台車
２１  荷受台
２２  前側キャスター
２３  後側キャスター
２４  シート
２５  重量物
２６  基礎台
【図１】
0004588832.tif 000002
【図２】
0004588832.tif 000003
【図３】
0004588832.tif 000004
【図４】
0004588832.tif 000005
【図５】
0004588832.tif 000006
【図６】
0004588832.tif 000007
【図７】
0004588832.tif 000008
【図８】
0004588832.tif 000009
【図９】
0004588832.tif 000010